(57)【特許請求の範囲】
【請求項１】
溶湯容器の底部の溶湯流出孔から溶湯を流出させるスライディングノズル装置であって、
前記溶湯容器の底部に設けられ前記溶湯流出孔に連通する通孔を備えるベースプレートと、
前記ベースプレートの下面に第１の方向に沿ってスライド可能に配置された複数のスライディングノズルと、
前記スライディングノズルを前記第１の方向にスライドさせる第１駆動手段と、
前記スライディングノズルを前記第１の方向と交差する第２の方向に沿ってスライドさせてそのノズル孔を前記ベースプレートの通孔に連通する位置に合わせる第２駆動手段と、
前記第１の方向に沿う方向から前記第２の方向に沿う方向に回動して前記第２駆動手段でスライドさせられるスライディングノズルのスライドをガイドする、前記ベースプレートに枢支部を介して回転可能に軸支されたガイドアームと、
前記ガイドアームが前記第１の方向に沿う回転方向に前記ガイドアームの回転を付勢する付勢手段と、を有することを特徴とするスライディングノズル装置。
【請求項２】
前記ガイドアームを前記第１の方向に沿うように係止する係止手段を有する請求項１に記載のスライディングノズル装置。
【請求項３】
前記ガイドアームは、前記スライディングノズルと係合して落下を抑制する少なくともＬ字状の断面を有する請求項１または２に記載のスライディングノズル装置。
【請求項４】
溶湯容器の底部に設けられ溶湯流出孔に連通する通孔を備えるベースプレートと、前記ベースプレートの下面に第１の方向に沿ってスライド可能に配置された複数のスライディングノズルと、前記スライディングノズルを前記第１の方向にスライドさせる第１駆動手段と、前記スライディングノズルを前記第１の方向と交差する第２の方向に沿ってスライドさせてそのノズル孔を前記ベースプレートの通孔に連通する位置に合わせる第２駆動手段と、を備えるスライディングノズル装置に用いられるスライディングノズルのスライドをガイドする可動ガイド部品であって、
前記第１の方向に沿う方向から前記第２の方向に沿う方向に回動して前記第２駆動手段でスライドさせられるスライディングノズルのスライドをガイドする、前記ベースプレートに枢支部を介して回転可能に軸支されたガイドアームと、
前記ガイドアームが前記第１の方向に沿う回転方向に前記ガイドアームの回転を付勢する付勢手段と、を有することを特徴とする可動ガイド部品。
【請求項５】
前記ガイドアームを前記第１の方向に沿うように係止する係止手段を有する請求項４に記載の可動ガイド部品。
【請求項６】
前記ガイドアームは、前記スライディングノズルの上部と係合して落下を抑制する少なくともＬ字状の断面を有する請求項４または５に記載の可動ガイド部品。
【発明の詳細な説明】
【技術分野】
【０００１】
本発明は、製鋼用のタンディッシュや取鍋等の溶湯容器の底部に設けられたスライディングノズルを交換するスライディングノズル装置及びスライディングノズルのスライドをガイドする可動ガイド部品に関する。
【背景技術】
【０００２】
タンディッシュや取鍋等の溶湯容器の底部に形成された出鋼口には、溶融金属の出鋼量を制御するためのスライディングノズル装置が具備されている。
【０００３】
従来のスライディングノズル装置（例えば、特許文献１参照）を図７に示す。溶鋼収納鍋の底部５０には、溶鋼の出鋼口５０aが設けられ、この出鋼口５０ａには、中央に流出孔６０ａを施した上ノズル６０が取付けられている。そして、上ノズル６０の下端部には、スライディングノズル装置７０が取付けられている。
【０００４】
スライディングノズル装置７０は、上ノズル６０の流出孔６０ａと連通する通孔７１aが設けられたベースプレート７１と、ベースプレート７１の下面にスライド可能に取り付けられたスライディングノズル７２と、スライディングノズル７２をスライドさせるスライド手段７３と、を備えている。スライディングノズル７２は、ベースプレート７１の下面にスライド可能に配置される通孔７２１aが形成されたノズルプレート７２１と、ノズルプレート７２１の下方に配置されるノズル孔７２３aが形成された下ノズル７２３とを備えている。
【先行技術文献】
【特許文献】
【０００５】
【特許文献１】特開平６−３３９７５７号公報
【発明の概要】
【発明が解決しようとする課題】
【０００６】
スライディングノズル７２は、出湯の度に通孔７２１a、ノズル孔７２３aの内壁が溶損したり、孔詰まりを起こしたりするので、定期的に或いはその都度交換される。上記従来のスライディングノズル装置の場合、出湯動作を停止してスライディングノズル７２をベースプレート７１から取り外し、新たなスライディングノズルを取り付ける必要があった。すなわち、従来のスライディングノズル装置７０は、スライディングノズル７２の交換に時間がかかり、出湯を長時間停止しなければならなかった。
【０００７】
スライディングノズルの交換を速やかに行うためには、複数のスライディングノズルを備える必要がある。しかし、上記従来のスライディングノズル装置は、スライディングノズルのスライドを一方向にガイドするものであるため、複数のスライディングノズルを一直線に並べて一方向にガイドしなければならない。その結果、スライディングノズル装置が長尺化、大型化するという問題があった。
【０００８】
本発明は、以上のような従来技術の問題点に鑑み創案されたもので、スライディングノズルの交換を速やかに行うことができる小型のスライディングノズル装置を提供することを目的としている。
【０００９】
また、スライディングノズル装置の小型化のために、スライディングノズルのスライド方向を変えることができる可変ガイド部品を提供することを目的としている。
【課題を解決するための手段】
【００１０】
上記の課題を解決するためになされた本発明は、溶湯容器の底部の溶湯流出孔から溶湯を流出させるスライディングノズル装置であって、前記溶湯容器の底部に設けられ前記溶湯流出孔に連通する通孔を備えるベースプレートと、前記ベースプレートの下面に第１の方向に沿ってスライド可能に配置された複数のスライディングノズルと、前記スライディングノズルを前記第１の方向にスライドさせる第１駆動手段と、前記スライディングノズルを前記第１の方向と交差する第２の方向に沿ってスライドさせてそのノズル孔を前記ベースプレートの通孔に連通する位置に合わせる第２駆動手段と、前記第１の方向に沿う方向から前記第２の方向に沿う方向に回動して前記第２駆動手段でスライドさせられるスライディングノズルのスライドをガイドする、前記ベースプレートに枢支部を介して回転可能に軸支されたガイドアームと、前記ガイドアームが前記第１の方向に沿う回転方向に前記ガイドアームの回転を付勢する付勢手段と、を有することを特徴とする。
【００１１】
溶湯容器の底部の溶湯流出孔の周囲に複数のスライディングノズルをスライド可能に備えるので、一つのスライディングノズルが孔詰まりなどを起こしても別のスライディングノズルと速やかに交換することができる。
【００１２】
また、ガイドアームで第１の方向にガイドされていたスライディングノズルでガイドアームを押して第２の方向にガイドアームを回転させることで、スライディングノズルのガイド方向を変えることができる。その結果、複数のスライディングノズルを一直線に並べる必要がなくなり、スライディングノズル装置を小型化できる。
【００１３】
上記スライディングノズル装置において、前記ガイドアームを前記第１の方向に沿うように係止する係止手段を有するとよい（請求項２）。
【００１４】
第１の方向に沿ってスライドするスライディングノズルのスライドを容易にする。
【００１５】
また、前記ガイドアームは、前記スライディングノズルと係合して落下を抑制する少なくともＬ字状の断面を有するとよい（請求項３）。
【００１６】
スライディングノズルの落下が抑制される。
【００１７】
上記の課題を解決するためになされた本発明は、溶湯容器の底部に設けられ溶湯流出孔に連通する通孔を備えるベースプレートと、前記ベースプレートの下面に第１の方向に沿ってスライド可能に配置された複数のスライディングノズルと、前記スライディングノズルを前記第１の方向にスライドさせる第１駆動手段と、前記スライディングノズルを前記第１の方向と交差する第２の方向に沿ってスライドさせてそのノズル孔を前記ベースプレートの通孔に連通する位置に合わせる第２駆動手段と、を備えるスライディングノズル装置に用いられるスライディングノズルのスライドをガイドする可動ガイド部品であって、前記第１の方向に沿う方向から前記第２の方向に沿う方向に回動して前記第２駆動手段でスライドさせられるスライディングノズルのスライドをガイドする、前記ベースプレートに枢支部を介して回転可能に軸支されたガイドアームと、前記ガイドアームが前記第１の方向に沿う回転方向に前記ガイドアームの回転を付勢する付勢手段と、を有することを特徴とする（請求項４）。
【００１８】
上記の可動ガイド部品において、前記ガイドアームを前記第１の方向に沿うように係止する係止手段を有するとよい（請求項５）。
【００１９】
また、前記ガイドアームは、前記スライディングノズルの上部と係合して落下を抑制する少なくともＬ字状の断面を有するとよい（請求項６）。
【発明の効果】
【００２０】
溶湯容器の底部の溶湯流出孔の周囲に複数のスライディングノズルをスライド可能に備えるので、一つのスライディングノズルが孔詰まりなどを起こしても別のスライディングノズルと速やかに交換することができる。
【００２１】
また、ガイドアームで第１の方向にガイドされていたスライディングノズルでガイドアームを押して第２の方向にガイドアームを回転させることで、スライディングノズルのガイド方向を変えることができる。その結果、複数のスライディングノズルを一直線に並べる必要がなくなり、スライディングノズル装置を小型化できる。
【図面の簡単な説明】
【００２２】
【図１】実施形態１に係るスライディングノズル装置の概略側方視図である。
【図２】図１の上方視図である。
【図３】図２のＤ−Ｄ線部分断面図である。
【図４】実施形態２に係るスライディングノズル装置の概略上方視図である。
【図５】従来のスライディングノズル装置の断面図である。
【発明を実施するための形態】
【００２３】
本発明の実施形態を図面を参照して詳しく説明する。
【００２４】
（実施形態１） 図１は、実施形態１に係るスライディングノズル装置の概略側方視図、図２は、下から上方を見上げた上方視図である。図３は、図２のＤ−Ｄ線部分断面図である。
【００２５】
図１及び図２に示すスライディングノズル装置は、溶湯容器の底部の溶湯流出孔から溶湯を流出させる装置である。スライディングノズルの交換を速やかに行うために複数のスライディングノズルを備え、しかも、装置の小型化を図るためにスライディングノズルのスライド方向を９０°曲げている。
【００２６】
スライディングノズル装置は、溶湯容器の底部に設けられ溶湯流出孔に連通する通孔１aを備えるベースプレート１と、ベースプレート１の下面に直線Ｌ1（第１の方向）に沿ってスライド可能に配置された複数のスライディングノズル２、３、４とを備えている。
【００２７】
また、スライディングノズル装置は、スライディングノズル２、３、４を第１の方向（直線Ｌ1に沿う方向）にスライドさせる第１駆動手段５と、第１の方向（直線Ｌ1に沿う方向）と交差する第２の方向（直線Ｌ2）に沿ってスライドさせてそのノズル孔をベースプレート１の通孔１aに連通する位置に合わせる第２駆動手段６と、を備えている。
【００２８】
また、第１の方向（直線Ｌ1）に沿う方向から第２の方向（直線Ｌ2）に沿う方向に回動して第２駆動手段６でスライドさせられるスライディングノズル２のスライドをガイドする可動ガイド部品１０、１０Aを備えている。
【００２９】
スライディングノズル２、３、４は、ベースプレート１の下面に係合する上部に一対の背向する側面２b1、２b2、３b1、３b2、４b1、４b2をもつ矩形状ノズルプレート２b、３b、４ｂを備えている。
【００３０】
さらに、スライディングノズル２、３、４の落下を防止し、第１の方向（直線Ｌ1）に沿って（待機位置Ｐ１に向けての矢印A1方向へ）のスライドをガイドする固定ガイド部材８A、８B、９Aがベースプレート１に取り付けられている。また、スライディングノズル２、３、４の落下を防止し、第２の方向（直線Ｌ2）に沿って（使用位置P2 に向けての矢印A2方向へ）のスライドをガイドする固定ガイド部材７A、７Bがベースプレート１に取り付けられている。
【００３１】
第１駆動手段５、第２駆動手段６は、たとえば、空気圧や油圧のシリンダ装置で形成されているが、場合によってはモータ駆動装置で形成されたベルトコンベアでもよい。
【００３２】
可動ガイド部品１０は、第１の方向（直線Ｌ1）に沿う方向から第２の方向（直線Ｌ2）に沿う方向に回動して第２駆動手段６でスライドさせられるスライディングノズル２のスライドをガイドする、ベースプレート１に枢支部１０cを介して回転可能に軸支されたガイドアーム１０aと、ガイドアーム１０aが第１の方向（直線Ｌ1）に沿う回転方向にガイドアーム１０aの回転を付勢する付勢手段１０bと、を備えている。
【００３３】
付勢手段１０bは、例えばバネであり、バネ１０bがほぼ延びきった時、ガイドアーム１０aが直線Ｌ1に沿う位置まで回転するように設計されている。付勢手段１０bは、バネの他に、例えば、シリンダーとピストンを備える油圧シリンダーでもよい。
【００３４】
同様に、可動ガイド部品１０Aは、第１の方向（直線Ｌ1）に沿う方向から第２の方向（直線Ｌ2）に沿う方向に回動して第２駆動手段６でスライドさせられるスライディングノズル２のスライドをガイドする、ベースプレート１に枢支部１０Acを介して回転可能に軸支されたガイドアーム１０Aaと、ガイドアーム１０Aaが第１の方向（直線Ｌ1）に沿う回転方向にガイドアーム１０Aaの回転を付勢する付勢手段１０Abと、を備えている。
【００３５】
付勢手段１０Abも、例えばバネであり、バネ１０Abがほぼ延びきった時、ガイドアーム１０Aaが直線Ｌ1に沿う位置まで回転するように設計されている。
【００３６】
ガイドアーム１０aは、図３に示すように、ノズルプレート２bを下から受ける受け部１０a1と、スライドをガイドするガイド部１０a2を備えるＬ字状の断面をしている。
【００３７】
なお、図示しないが、ガイドアーム１０AaもＬ字状の断面をしている。また、固定ガイド部材７A、７B、８A、８B、９AもＬ字状の断面をしており、スライディングノズル２、３、４のスライドを第１の方向或いは第２の方向にガイドすると共に、落下を防止することができる。
【００３８】
次に、可動ガイド部品１０、１０Aを備えるスライディングノズル装置の動作を説明する。
【００３９】
図２の状態で、可動ガイド部品１０のガイドアーム１０aは、バネ１０bがほぼ延びきった状態で直線Ｌ1に沿うように位置してスライディングノズル２の側面２b1と係合している。同様に、可動ガイド部品１０Aのアーム１０Aaは、バネ１０Abがほぼ延びきった状態で直線Ｌ1に沿うように位置してスライディングノズル２の側面２b1と係合している。
【００４０】
この図２の状態で、先ず、第２駆動手段６でスライディングノズル２を矢印A2方向（直線Ｌ2に沿う方向）に押すと、第１の方向（直線Ｌ1）に沿う回転方向（矢印A3方向）に回転が付勢されていたガイドアーム１０aが付勢手段１０bの付勢力に抗して第２の方向（直線Ｌ2）に沿う回転方向（矢印A5方向）に回動して点線で示す状態になる。同時に、第１の方向（直線Ｌ1）に沿う回転方向（矢印A4方向）に回転が付勢されていたガイドアーム１０Aaが付勢手段１０Abの付勢力に抗して第２の方向（直線Ｌ2）に沿う回転方向（矢印A6方向）に回動して点線で示す状態になる。点線で示すガイドアーム１０aは矢印A3方向に付勢され、点線で示すアーム１０Aaは矢印A4方向に付勢されているので、スライディングノズル２は二つのガイドアーム１０a、１０Aaで狭持されて直線Ｌ1（第１の方向）に沿うようにガイドされる。したがって、第２駆動手段６でスライディングノズル２をさらに押すと、ノズル孔２aが通孔１aと一致してノズル使用位置P2に位置する点線で示すスライディングノズルの状態になる。
【００４１】
スライディングノズル２が点線で示すガイドアーム１０a、１０Aaを通り過ぎると、点線で示すガイドアーム１０aは、付勢手段１０bの付勢力で矢印A3方向に回動して第１の方向（直線Ｌ1）に沿う位置に停止する。一方、点線で示すガイドアーム１０Aは、付勢手段１０Abの付勢力で矢印A4方向に回動して、第１の方向（直線Ｌ1）に沿う位置に停止する。
【００４２】
この状態で次に、第１駆動手段５でスライディングノズル３、４を第１の方向（直線Ｌ1）に沿う矢印A1方向に沿ってノズル待機位置P1に向けてスライドさせると、スライディングノズル３の側面３b1が、最初ガイドアーム１０Aaにガイドされ、次にガイドアーム１０aにガイドされて第２駆動手段６の作動領域に位置するようになる。このとき、スライディングノズル３は可動ガイド部品１０の直線Ｌ1に沿うガイドアーム１０a、可動ガイド装置１０Aのガイドアーム１０Aa及び第２駆動手段６の当接板６aで直線Ｌ2に沿うようにガイドされる。
【００４３】
次に、溶湯を流す処理をしていたとき、通孔１aに一致した（ノズル使用位置P２に位置する）スライディングノズル２のノズル孔２aが、たとえば詰まったら、ノズル待機位置P1で待機しているスライディングノズル３を第２駆動手段６で第２の方向（直線Ｌ2）に沿って矢印A2方向に（ノズル使用位置P２に）向けてスライドさせ、点線で示す（ノズル使用位置P２にある）スライディングノズル２を矢印A1方向に押し出す。押し出されたスライディングノズル２は、落下して図示しない回収箱に収容される。
【００４４】
ガイドアーム１０a、１０Aaで直線Ｌ1方向にガイドされていたスライディングノズル２でガイドアーム１０a、１０Aaを矢印A2方向に押して回転させることでスライディングノズル２は直線Ｌ2方向にガイドされるようになる。すなわち、可動ガイド部品１０、１０Aは、スライディングノズル２を直線Ｌ1方向とそれと交差する直線Ｌ2方向の２方向にガイドすることができる。その結果、複数のスライディングノズルを一直線に並べる必要がなくなり、スライディングノズル装置を小型化できる。
【００４５】
また、ガイドアーム１０a、１０Aaは、Ｌ字状の断面をしており、スライディングノズルのスライドをガイドするだけでなく、落下を防止することができる。
（実施形態２）図４は、実施形態２に係るスライディングノズル装置の概略上方視図である。本実施形態のスライディングノズル装置は、実施形態１のスライディングノズル装置の可動ガイド部品１０が、異なるだけであり、同一の構成要素には同一の符号を付し説明を省略する。
【００４６】
本実施形態の可動ガイド部品１０Bは、ガイドアーム１０Baが第１の方向（直線Ｌ1）に沿うようにガイドアーム１０Baを係止する係止手段（ピン）１０Bdを備えている。
【００４７】
スライディングノズル２が点線で示すガイドアーム１０Aa、１０Baを通り過ぎると、点線で示すガイドアーム１０Aは、付勢手段１０Abの付勢力で矢印A4方向に回動するが、実施形態１のように、バネ１０Abがほぼ延びきった時、ガイドアーム１０Aaが直線Ｌ1に沿う位置まで回転するように設計されていても、場合によっては、直線Ｌ1に沿う位置を通り越して一点鎖線で示すガイドアーム１０Aaになることがある。しかしながら、この状態で、第１駆動手段５でスライディングノズル３、４を矢印A1方向に沿ってノズル待機位置P1に向けてスライドさせても、スライディングノズル３が一点鎖線で示すアーム１０Aaを矢印A6方向に回動させて進むので問題にならない。
【００４８】
一方、点線で示すガイドアーム１０Baが直線Ｌ1に沿う位置を通り越して回転すると、矢印A１方向にスライドするスライディングノズル３がそのガイドアーム１０Baによってスライドを阻止されてしまう。しかしながら、本実施形態の可動ガイド部品１０Bは、上記のように、ガイドアーム１０Baが第１の方向（直線Ｌ1）に沿うようにガイドアーム１０Baを係止する係止手段（ピン）１０Bdを備えている。したがって、スライディングノズル２が点線で示すガイドアーム１０Ba、１０Aaを通り過ぎると、点線で示すガイドアーム１０Baは、付勢手段１０bの付勢力で矢印A3方向に回動するが、ガイドアーム１０Baの枢支部１０Bc付近から突き出る突片１０Beがピン１０Bdに当たってガイドアーム１０Baが第１の方向（直線Ｌ1）に沿う位置に停止する。よって、ガイドアーム１０Baが直線Ｌ1に沿う位置を通り越して回転することがないので、矢印A１方向にスライドするスライディングノズル３がスライドを阻止されることがない。
【符号の説明】
【００４９】
１・・・・・・・・・・・・ベースプレート
１a・・・・・・・・・・ 通孔
２、３、４・・・・・・・・スライディングノズル（スライディング部材）
３a・・・・・・・・・・ ノズル孔
３b・・・・・・・・・・ 矩形状ノズルプレート
１０、１０A・・・・・・・ 可動ガイド部品
１０a、１０Aa・・・・・ アーム
１０b、１０Ab・・・・・ 付勢手段
１０c、１０Ac・・・・・ 枢支部
１０d・・・・・・・・・ 係止手段
Ｌ1・・・・・・・・・・第１の方向
Ｌ2・・・・・・・・・・第２の方向
【図１】
0005411743.tif 000002
【図２】
0005411743.tif 000003
【図３】
0005411743.tif 000004
【図４】
0005411743.tif 000005
【図５】
0005411743.tif 000006